(57)【要約】  【課題】  キャビネットに嵌着されたカバーが緩んで脱落しないようにする。  【解決手段】  長手方向または短手方向の一端をキャビネット２に形成された凹部５の縁に仮係合してから他端を前記凹部側に倒して他端を前記凹部の縁に係合して嵌合されるキャビネット２のカバー３において、前記カバー３の下面と前記キャビネット２の凹部５の縁部分に、カバー３が嵌着された状態で互いに当接してカバー３の長手方向または短手方向の移動を阻止する部材をそれぞれ設ける。ここで、前記当接する部材は、カバー３に突設されたリブ状の突起１６，１７と、キャビネット２の凹部５の縁部分に形成された突起収納部８，９とであることが好ましい。【選択図】  図５
2005354010.tif 000002
【特許請求の範囲】
【請求項１】
キャビネットに形成された凹部に対して着脱自在に嵌着して覆うキャビネットのカバーにおいて、
前記カバーの内面と前記キャビネットの凹部の縁部分に、カバーが嵌着された状態で互いに当接して前記カバーの前後左右方向の移動を阻止する部材をそれぞれ設けたことを特徴とするキャビネットのカバー。
【請求項２】
キャビネットに形成された凹部に対して着脱自在に嵌着して覆うキャビネットのカバーにおいて、
前記カバーの内面と前記キャビネットの凹部の縁部分に、カバーが嵌着された状態で互いに当接して前記カバーの開閉方向と開閉方向に直交する方向との移動を阻止する部材をそれぞれ設けたことを特徴とするキャビネットのカバー。
【請求項３】
カバーの一端に突設された爪をキャビネットの係合孔に係合してキャビネットの凹部に対して開閉操作にて嵌着される着脱自在のキャビネットのカバーにおいて、
前記カバーの他端の内面と前記キャビネットの凹部の縁部分に、カバーが嵌着された状態で互いに当接してカバーの開閉方向に直交する方向の移動を阻止する部材をそれぞれ設けたことを特徴とするキャビネットのカバー。
【請求項４】
長手方向または短手方向の一端をキャビネットに形成された凹部の縁に仮係合してから他端を前記凹部に倒して他端を前記凹部の他の縁に係止して嵌合されるキャビネットのカバーにおいて、
前記カバーの他端の内面と前記キャビネットの凹部の縁部分に、カバーが嵌着された状態で互いに当接してカバーの長手方向または短手方向の移動を阻止する部材をそれぞれ設けたことを特徴とするキャビネットのカバー。
【請求項５】
請求項１乃至４のいずれかに記載のキャビネットのカバーにおいて、
前記当接する部材は、カバーに突設されたリブ状の突起と、キャビネットの凹部の縁部分に形成されたリブ収納部とであることを特徴とするキャビネットのカバー。
【請求項６】
請求項１乃至４のいずれかに記載のキャビネットのカバーにおいて、
前記当接する部材は、カバーに突設されたリブ状の突起と、カバーと一体に形成されてカバー内側に屈曲された断面Ｖ字形で外側に楔形の爪を設けた係合片と、キャビネットの凹部の縁部分に形成されたリブ収納部とであることを特徴とするキャビネットのカバー。
【請求項７】
請求項３乃至６のいずれかに記載のキャビネットのカバーにおいて、
前記カバーの下端部に係止部を有し、前記カバーの上端部に当接する部材を有してキャビネットの背面に設けられた凹部を覆うことを特徴とするキャビネットのカバー。
【請求項８】
請求項１乃至７のいずれかに記載のキャビネットのカバーにおいて、
前記カバーは薄型表示装置の背面の端子台を覆うカバーであることを特徴とするキャビネットのカバー。
【発明の詳細な説明】
【技術分野】
【０００１】
本発明は、液晶テレビ等のキャビネットを有する機器のキャビネットに着脱自在に嵌着されるカバーに関し、キャビネットへの装着を確実にして脱落を防止したカバーに関する。
【背景技術】
【０００２】
従来、液晶テレビの背面のキャビネットには、アンテナケーブル等を接続する端子台が配設され、その端子にケーブルが接続された後、異物の侵入や埃の堆積を避けるため、端子台の上方に端子カバー等と称する樹脂製のカバーを着脱自在に嵌着していた。なお、接続端子をカバーで覆う従来技術としては、特許文献１に記載の「電子機器の外部接続端子カバー構造」がある。これらのカバーの嵌合構造は、嵌合する相手となるキャビネットの凹部の縁部分にカバーの一端を仮係合し、その係合部分を支点とし、カバーの他端をキャビネット側に倒して、カバーの他端に設けられている爪をキャビネットの凹部の縁部分に係合させることで、カバーをキャビネットに装着していた。
【特許文献１】特開昭２００３−２７２７５３号公報
【発明の開示】
【発明が解決しようとする課題】
【０００３】
上述したように、キャビネットに形成されている凹部部分に嵌着されるカバーは、一端から他端までの取付方向の全長を、カバーが大き過ぎて凹部部分に入らないことを避けるために、凹部の取付方向の全長よりも短くなるようにマイナス公差により作成されている。また、カバーは、通常、樹脂を用いた成形品であるため、比較的弾性が大きくて撓みやすい。そのため、キャビネットの凹部にカバーを嵌着させた状態で、梱包して輸送した場合に、輸送途中の振動等でカバーが一端側に移動して係合が外れて凹部から脱落することがあった。そこで、本発明は、カバーを装着した後の輸送中に、カバーが取付方向に移動することを阻止して脱落することのないキャビネットのカバーを提案することを目的とした。
【課題を解決するための手段】
【０００４】
上記課題を解決するために、本発明は、キャビネットに形成された凹部に対して着脱自在に嵌着して覆うキャビネットのカバーにおいて、前記カバーの内面と前記キャビネットの凹部の縁部分に、カバーが嵌着された状態で互いに当接してカバーの前後左右方向の移動を阻止する部材をそれぞれ設けたことを特徴とする。
また、本発明は、キャビネットに形成された凹部に対して着脱自在に嵌着して覆うキャビネットのカバーにおいて、前記カバーの内面と前記キャビネットの凹部の縁部分に、カバーが嵌着された状態で互いに当接して前記カバーの開閉方向と開閉方向に直交する方向との移動を阻止する部材をそれぞれ設けたことを特徴とする。
また、本発明は、カバーの一端に突設された爪を、キャビネットの係合孔に係合してキャビネットの凹部に対して開閉操作にてに嵌着される着脱自在のキャビネットのカバーにおいて、前記カバーの他端の内面と前記キャビネットの凹部の縁部分に、カバーが嵌着された状態で互いに当接してカバーの開閉方向に直交する方向の移動を阻止する部材をそれぞれ設けたことを特徴とする。
さらに、本発明は、長手方向または短手方向の一端をキャビネットに形成された凹部の縁に仮係合してから他端を前記凹部側に倒して他端を前記凹部の縁に係止して嵌合されるキャビネットのカバーにおいて、前記カバーの他端の内面と前記キャビネットの凹部の縁部分に、カバーが嵌着された状態で互いに当接してカバーの長手方向または短手方向の移動を阻止する部材をそれぞれ設けたことを特徴とする。
ここで、前記当接する部材は、カバーに突設されたリブ状の突起と、キャビネットの凹部の縁部分に形成された凹部とであることが好ましい。
さらに、前記当接する部材は、カバーに突設されたリブ状の突起と、カバーと一体に形成されてカバー内側に屈曲された断面Ｖ字形で外側に楔形の爪を設けた係合片と、キャビネットの凹部の縁部分に形成されたリブ収納部とであることが好ましい。
また、前記カバーの下端部に係止部を有し、前記カバーの上端部に当接する部材を有してキャビネットの背面に設けられた凹部を覆うことデ、カバーの自重が集中する方向にたいして効果的に脱落を防止することが可能である。
なお、前記カバーは薄型表示装置の背面の端子台を覆うカバーとすることも可能である。
【発明の効果】
【０００５】
以上述べたように本発明によれば、キャビネットの凹部にカバーを嵌着した際に、カバーとキャビネットとの間に、互いにカバーの面方向に当接する部材を設けておき、カバーが面方向に移動できないようにしたことで、カバーが緩んでキャビネットから脱落することが解消される。また、薄型表示装置は設置場所に囚われずにどこでも設置可能（場合によっては持ち運びも可能）であり、装置背面のケーブル類の処理は美観を損ねかねなく、ケーブル類のカバーは一般的に用いられるが、薄型表示装置のサイズの大型化によりカバーも大型化し撓みが大きくなり、更にカバー脱落が問題となる。本発明は構造も簡単なことから、大型薄型表示装置に於いて特に効果的である。
【発明を実施するための最良の形態】
【０００６】
以下、図に基づいて本発明の実施形態を説明する。
図１は本発明を液晶テレビの背面のキャビネットに嵌着されるカバーに適用した場合の液晶テレビの背面側の斜視図であり、図２は図１からカバーを外した状態を示す斜視図であり、図３は外されたカバーおよびその端部を拡大した斜視図であり、図４は図１のカバーの開閉途中の状態を示す斜視図であり、図５は図４の要部を拡大した斜視図である。
【０００７】
図１に示されるように、液晶テレビ１の背面は、樹脂製のキャビネット２により覆われている。キャビネット２の左右両側には、ケーブル類や付属品などを収納するための空間（凹部）５，６が設けられ、凹部５，６を覆うためにそれぞれＬ字形をした樹脂製のカバー３，４が着脱自在に凹部５，６入り口周辺に嵌着されており、そのカバー３，４の内側下方にはオーディオ端子、図示しないカバー４の内側側方にはアンテナケーブル等が接続される端子台が配設されている。カバー３，４を受けるキャビネット２の凹部５，６入り口周辺部はカバー３，４のくり抜き部を除き、カバー３，４の略厚み分の段差が形成されており、キャビネット２とカバー３，４の段差を吸収する構造となっている。
【０００８】
図２は、キャビネット２からカバー３，４を外した状態を表し、カバー３，４に覆われる凹部５，６が形成されている。なお、凹部５，６の下端には、詳細には図示されていないが、カバー３，４を嵌着するとき、カバー３，４の下端の爪１１〜１３等を先に仮係合させる係合孔がそれぞれ形成されている。ここで、カバー３，４の基本構造と凹部５，６に対する着脱方法は基本的に同じであるため、構造と着脱方法に関しては、カバー３と凹部５の関係で説明する。凹部５の内側上方の略中央部には、拡大して示されるように、後述するカバー３の上端の爪１４が係合される爪受け部７が形成され、その左右両側には、断面横長の袋状の突起収納部８，９が形成されている。
【０００９】
カバー３の下面には、図３に示されるように、幅の広い下端に、キャビネット２の凹部５に係合されるための爪１１〜１３が突設され、幅の狭い上端の中央に、凹部５の爪受け部７に係合されるための爪１４が突設されている。爪１４は、カバー３の上端を下面側にＶ字形に突設した弾性部１５の外側の面に楔形状に形成されている。この弾性部１５の先端は、カバー３の上面と同一のレベルに保持されているため、カバー３が嵌着された状態で、弾性部１５の上端を指先でカバー３側に押圧すると、弾性部１５が圧縮されて後退し、爪１４が爪受け部７から離脱して、カバー３の取り外しが可能となる。
【００１０】
弾性部１５の左右外側には、凹部５の突起収納部８，９に挿入されるためのリブ状の突起１６，１７が突設されている。これら突起収納部８，９と突起１６，１７は、嵌合された状態でカバー３が主として上下方向に移動できないように当接されている。すなわち、カバー３が凹部５に嵌合された状態で、突起収納部８，９に突起１６，１７が嵌合されることで、液晶テレビ１の輸送中にカバー３に振動が加えられても、カバー３が上下方向に移動できないため、爪１４が爪受け部７から外れたり、爪１１〜１３の係合が外れたりしなくなり、カバー３が輸送中にキャビネット２から脱落するといった事態が解消される。
【００１１】
なお、カバー３を凹部５に嵌着する際は、図４および図５に示されるように、カバー３の下端に突設されている爪１１〜１３を、凹部５の縁の内側に仮係合して、カバー３を上方へ倒し、カバー３の上端の弾性部１５を凹部５の縁の内側に進入させて、爪１４を爪受け部７に係合させる。このとき、同時に、弾性部１５の外側の突起１６，１７も突起収納部８，９に嵌挿される。なお、図示例では、突起収納部８，９と突起１６，１７を、弾性部１５の両外側に設けたが、カバー３の外周部であれば、他の任意の位置に設けることが可能である。また、本実施形態においては、突起収納部８，９を凹部５内側に僅かに突出させて形成しているが、凹部５，６入り口周辺部の段差部に形成することで、凹部５，６内面に突出部を設けずに少しでも広い空間を確保することが可能になる。
【産業上の利用可能性】
【００１２】
本発明は、液晶テレビ以外には、樹脂製のカバーであって比較的大きくて緩みやすいカバーを備えた他のＡＶ機器にも利用可能である。
【図面の簡単な説明】
【００１３】
【図１】本発明を液晶テレビの背面のキャビネットに嵌着されるカバーに適用した場合の液晶テレビの背面側の斜視図である。
【図２】図１からカバーを外した状態を示す斜視図である。
【図３】外されたカバーおよびその端部を拡大した斜視図である。
【図４】図１のカバーの開閉途中の状態を示す斜視図である。
【図５】図４の要部を拡大した斜視図である。
【符号の説明】
【００１４】
１  液晶テレビ
２  キャビネット
３，４  カバー
５，６  凹部
７  爪受け部
８，９  突起収納部
１１〜１４  爪
１５  弾性部
１６，１７  突起
【図１】
2005354010.tif 000003
【図２】
2005354010.tif 000004
【図３】
2005354010.tif 000005
【図４】
2005354010.tif 000006
【図５】
2005354010.tif 000007